【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
配電装置（ＰＤＵ）であって、
外部デバイスの交流（ＡＣ）電力コードを少なくとも１つの電力コンセントに取り付けることが可能であるように構成された少なくとも１つの電力コンセントと、
開位置と閉位置とに設定されることが可能な接点を有する少なくとも１つの双安定リレーを有し、ＡＣ電力を外部ＡＣ電源から少なくとも１つの電力コンセントに供給するために少なくとも１つの電力コンセントと関連する分岐コンセントコントローラ（ＢＲＣ）であって、
外部ＡＣ電源からの電力線電圧のパラメータをモニタし、モニタされたパラメータを用いてＡＣ電力の喪失が生じるときを検出し、ＡＣ電力喪失状態を検出したとき、双安定リレーが閉位置にある場合には、双安定リレーを開位置にトグル的に切り換えるようにさらに構成された、ＢＲＣと、
ＢＲＣと通信して、双安定リレーの状態をモニタし、ＡＣ電力が回復された後に、双安定リレーを選択的に閉じるようにＢＲＣに命じるように構成されたラック配電装置コントローラ（ＲＰＤＵＣ）と、
を備える、配電装置（ＰＤＵ）。
【請求項２】
ＰＤＵに関するエネルギー計測および配電状態情報をモニタし、提供するために情報を少なくとも１つの外部サブシステムに通信するように構成されたラックプログラマブルコントローラ（ＲＰＣ）をさらに備える、請求項１に記載のＰＤＵ。
【請求項３】
ＢＲＣが複数の双安定リレーを含んでおり、ＲＰＤＵＣが、ＡＣ電力の喪失の直前に閉じられていて、ＡＣ電力喪失状態を検出したときにＢＲＣによって開放された複数の双安定リレーのうちの選択されたものを、ＰＤＵへの電流の突入を制限する方法で、順次閉じるように動作する、請求項１に記載のＰＤＵ。
【請求項４】
ＢＲＣが、双安定リレーと関連する回路ブレーカが開いたときを検出するための開回路ブレーカ検出サブシステムを含む、請求項１に記載のＰＤＵ。
【請求項５】
電力線電圧のパラメータをモニタすることが、ＢＲＣによって電力線電圧の周波数をモニタすることと、ＰＤＵに供給されているＡＣ電力の電力線電圧のゼロ交差をモニタすることによって、ＡＣ電力の喪失を検出するためにＢＲＣを用いることとを含む、請求項１に記載のＰＤＵ。
【請求項６】
ＢＲＣが、所定の時間期間の間に３回未満のゼロ電圧交差遷移が生じるときを検出することによって、ＡＣ電力の喪失を検出する、請求項５に記載のＰＤＵ。
【請求項７】
所定の時間期間が約３２．７６８ミリ秒である、請求項６に記載のＰＤＵ。
【請求項８】
ＲＰＤＵＣが、また、供給されているＡＣ電力の電圧のゼロ交差をモニタすることによってＡＣ電力の喪失をモニタし、ＲＰＤＵＣがＡＣ電力の喪失を検出したときには情報をＢＲＣに通信するように構成されている、請求項１に記載のＰＤＵ。
【請求項９】
ＲＰＤＵＣが、双安定リレーの現在の状態を記憶するための不揮発性メモリを含む、請求項１に記載のＰＤＵ。
【請求項１０】
ＲＰＤＵＣが、ＡＣ電力喪失の喪失に続いてＡＣ電力がＰＤＵに回復された後で双安定リレーが再度閉じられる必要があるかどうかを決定する目的で、双安定リレーの状態を決定するために不揮発性メモリを読み出す、請求項９に記載のＰＤＵ。
【請求項１１】
ＢＲＣが複数の双安定リレーを含み、複数の双安定リレーが少なくとも２つのサブバンクとして配列されている、請求項１に記載のＰＤＵ。
【請求項１２】
サブバンクのそれぞれが、別々の回路ブレーカと動作的に関連している、請求項１１に記載のＰＤＵ。
【請求項１３】
配電装置（ＰＤＵ）であって、
外部デバイスの交流（ＡＣ）電力コードを少なくとも１つの電力コンセントに取り付けることが可能であるように構成された少なくとも１つの電力コンセントと、
開位置と閉位置とに設定されることが可能な接点をそれぞれが有する複数の双安定リレーを有し、ＡＣ電力を外部ＡＣ電源から少なくとも１つの電力コンセントに供給するために少なくとも１つの電力コンセントと関連する分岐コンセントコントローラ（ＢＲＣ）であって、
外部ＡＣ電源からの電力線電圧の周波数をモニタし、モニタされた周波数を用いてＡＣ電力の喪失が生じるときを検出し、ＡＣ電力喪失状態を検出したとき、閉位置にある双安定リレーのいずれか１つまたは複数を開位置にトグル的に切り換えるようにさらに構成されており、
電力線電圧の周波数をモニタし、電力線電圧のゼロ交差に関係する情報から、ＡＣ電力喪失状態が生じたと決定することによってＡＣ電力の喪失状態をさらに検出する、ＢＲＣと、
ＢＲＣと通信して、ＡＣ電力喪失状態の前である以前には閉位置にあったリレーが、ＡＣ電力が回復された後に、ＰＤＵへの電流の突入を制限する方法で、再び閉じられるようにすべて順次命じられるように、双安定リレーを制御するように構成されたラック配電装置コントローラ（ＲＰＤＵＣ）と、
を備える、配電装置（ＰＤＵ）。
【請求項１４】
ＰＤＵに関するエネルギー計測および配電状態情報をモニタし、提供するために情報を少なくとも１つの外部サブシステムに通信するように構成されたラックプログラマブルコントローラ（ＲＰＣ）をさらに備える、請求項１３に記載のＰＤＵ。
【請求項１５】
ＲＰＤＵＣが、双安定リレーのそれぞれの状態をモニタし、ＢＲＣに対して、ＡＣ電力が回復された後で、双安定リレーの連続的な閉鎖の間に所定の時間遅延を満たす方法で、双安定リレーのうちの特定のものを選択的に閉鎖するように命じる、請求項１３に記載のＰＤＵ。
【請求項１６】
ＢＲＣが、双安定リレーと関連する回路ブレーカが開いたときを検出するための開回路ブレーカ検出サブシステムをさらに備える、請求項１３に記載のＰＤＵ。
【請求項１７】
ＢＲＣが、所定の時間期間の間にＡＣ電力のＡＣ電圧波形に対して３回未満のゼロ電圧交差遷移が生じるときを検出することによって、ＡＣ電力の喪失を検出する、請求項１３に記載のＰＤＵ。
【請求項１８】
ＢＲＣが、双安定リレーのそれぞれの現在の状態を記憶するための不揮発性メモリを含む、請求項１３に記載のＰＤＵ。
【請求項１９】
ＰＤＵに関するエネルギー計測および配電状態情報をモニタし、提供するために情報を少なくとも１つの外部サブシステムに通信するように構成されたラックプログラマブルコントローラ（ＲＰＣ）をさらに備えており、
ＲＰＣは、不揮発性メモリにアクセスすることによって、双安定リレーのそれぞれの現在の状態をモニタする、請求項１８に記載のＰＤＵ。
【請求項２０】
複数の光学要素をさらに備えていて、前記複数の光学要素のそれぞれが、双安定リレーの１つと一意的に関連し、その関連する前記双安定リレーの状態の光学的指標を提供し、状態が、関連する前記双安定リレーが現在開位置にあるかまたは閉位置にあるかを示す、請求項１３に記載のＰＤＵ。
【請求項２１】
複数のデータセンタデバイスへのＡＣ電力の適用をモニタおよび制御するための方法であって、
独立のデータセンタデバイスの交流（ＡＣ）電力コードのための電力供給点を形成する少なくとも１つのＡＣ電力コンセントを提供するステップと、
ＡＣ電力を外部ＡＣ電源からＡＣ電力コンセントに供給するための電力コンセントと関連しており開位置と閉位置とに設定されることが可能な接点を有する少なくとも１つの双安定リレーを有する分岐コンセントコントローラ（ＢＲＣ）を用いるステップと、
ＢＲＣを用いて、外部ＡＣ電源の電力線電圧と関連するパラメータをモニタし、モニタされたパラメータを用いて、ＡＣ電力の喪失がまさに生じるときを検出するステップと、
ＡＣ電力の検出された切迫する喪失に応答し、ＢＲＣを用いて、電力が失われる直前に双安定リレーが現在閉位置にある場合には、ＢＲＣへの電力が失われる前に、双安定リレーを開位置にトグル的に切り換えるステップと、
ＢＲＣと通信して双安定リレーの状態をモニタするように構成されたラック配電装置コントローラ（ＲＰＤＵＣ）を用いて、ＡＣ電力が回復された後で、ＢＲＣに対して、双安定リレーを閉じるように命じるステップと、
を備える、方法。